(57)【要約】【課題】複数の操作ボタンが相前後して同時に押されたときでも、その押された操作ボタンが作動停止指令用の操作ボタンである場合には、動作停止を行うことができるようにしたマッサージ装置を提供する。【解決手段】本発明のマッサージ装置１は、動作中のマッサージ装置本体２の作動停止指令用の操作ボタン１４と作動停止以外の動作態様の指令を行う複数の操作ボタン１５〜１７とが設けられたリモートコントロール装置５を有し、複数の操作ボタン１５〜１７のうちのいずれか二つ以上の操作ボタンが相前後して同時に押された状態となったときには先に押された操作ボタンによる動作指令を優先しかつ操作ボタン１５〜１７のうちの少なくとも一つの操作ボタンと操作ボタン１４とが相前後して同時に押された状態となったときには操作ボタン１４による停止指令を優先する優先回路１８が設けられている。【選択図】  図３
2004216036.tif 000002
【特許請求の範囲】
【請求項１】
動作中のマッサージ装置本体の作動停止指令用の操作ボタンと該作動停止以外の動作態様の指令を行う複数の操作ボタンとが設けられたリモートコントロール装置を有し、前記作動停止以外の動作態様の指令を行う複数の操作ボタンのうちのいずれか二つ以上の操作ボタンが相前後して同時に押された状態となったときには先に押された操作ボタンによる動作指令を優先しかつ前記作動停止以外の動作態様の指令を行う操作ボタンのうちの少なくとも一つの操作ボタンと作動停止指令用の操作ボタンとが相前後して同時に押された状態となったときには作動停止指令を行う操作ボタンによる停止指令を優先する優先回路が設けられているマッサージ装置。
【発明の詳細な説明】
【０００１】
【発明の属する技術分野】
本発明は、動作中のマッサージ装置本体の作動停止指令用の操作ボタンとこの作動停止以外の動作態様の指令を行う複数の操作ボタンとが設けられたリモートコントロール装置を有するマッサージ装置に関する。
【０００２】
【従来の技術】
従来から、マッサージ装置には、動作中のマッサージ装置本体の作動停止指令用の操作ボタンとこの作動停止以外の動作態様の指令を行う複数の操作ボタンとが設けられたリモートコントロール装置を有するものが知られている（例えば、特許文献１参照。）。
【０００３】
【特許文献１】
特開２００２−２０９９６５号公報（図３）
【０００４】
【発明が解決しようとする課題】
ところで、リモートコントロール装置は、手に持ちやすく片手でも手軽に操作することのできるようにコンパクトな構成とされ、その各操作ボタンは近接して配設されることが多いため、複数の操作ボタンのうちのいずれか二つ以上の操作ボタンを意図せずに同時に相前後して押してしまうことがある。
【０００５】
このようないわゆる二重押しの場合には、先に押された操作ボタンによる動作態様の指令を行いたいと考えられることから、後から押された操作ボタンによる動作態様の指令はキャンセルされ、先に押された操作ボタンによる動作態様の指令を優先させるのが望ましい。
【０００６】
しかしながら、作動停止以外の動作態様の指令を行う操作ボタンのうちの少なくとも一つの操作ボタンと作動停止指令用の操作ボタンとが意図せずに相前後して同時に押されることも考えられる。
【０００７】
例えば、首や肩等のマッサージを行っている場合で、その締め付けが急にきつく感じる状態となったときには、緊急にマッサージ装置の作動を停止させたいことがある。
【０００８】
このような場合には、あわてて操作ボタンを押し易いので、意図せずにいわゆる二重押しの状態となることがあるが、後から相前後して同時に押された操作ボタンが作動停止用の操作ボタンであった場合、先に押された操作ボタンによる動作態様の指令が優先され、作動停止指令はキャンセルされるため、マッサージ装置を緊急停止することができず、不都合である。
【０００９】
本発明の目的は、複数の操作ボタンが相前後して同時に押されたときでも、その押された操作ボタンが作動停止指令用の操作ボタンである場合には、動作停止を行うことができるようにしたマッサージ装置を提供することにある。
【００１０】
【課題を解決するための手段】
請求項１に記載のマッサージ装置は、動作中のマッサージ装置本体の作動停止指令用の操作ボタンと該作動停止以外の動作態様の指令を行う複数の操作ボタンとが設けられたリモートコントロール装置を有し、前記作動停止以外の動作態様の指令を行う複数の操作ボタンのうちのいずれか二つ以上の操作ボタンが相前後して同時に押された状態となったときには先に押された操作ボタンによる動作指令を優先しかつ前記作動停止以外の動作態様の指令を行う操作ボタンのうちの少なくとも一つの操作ボタンと作動停止指令用の操作ボタンとが相前後して同時に押された状態となったときには作動停止指令を行う操作ボタンによる停止指令を優先する優先回路が設けられていることを特徴とする。
【００１１】
【発明の実施の形態】
以下に、本発明に係わるマッサージ装置の発明の実施の形態を図面を参照しつつ説明する。
【００１２】
図１は本発明に係わるマッサージ装置１の外観図を示し、このマッサージ装置１はマッサージ装置本体２と保護カバー３とからなる袋状の構造となっている。マッサージ装置本体２の上部には、コンセント付きコード４、リモートコントロール装置５が図２に示すように設けられている。保護カバー３はチャック部材３ａにより開けることができる。
【００１３】
マッサージ装置本体２の内部には、図３に示すように制御装置６、エアーポンプ７、エアータンク８、電磁弁９、モータ１０、エアーバッグ１１、１２が設けられ、制御装置６はリモートコントロール装置５の操作指令に基づいてエアーポンプ７、電磁弁９、モータ１０への制御信号を出力する。そのエアーバッグ１１、１２は肩もみ、首もみの際に膨張・収縮され、この膨張・収縮により図示を略す押圧突起が往復動されて肩もみ、首もみが行われる。
【００１４】
リモートコントロール装置５には、入／切ボタン１３、停止ボタン１４、作動停止以外の動作態様の指令を行う複数の操作ボタンとして、自動指圧コースボタン１５、お好み動作ボタン１６、強さボタン１７が設けられている。入／切ボタン１３はマッサージ装置本体２の電源オフ時に押されると、マッサージ装置本体２の電源がオンされ、電源オン中に押されるとマッサージ本体２の電源がオフされる。停止ボタン１４を押すと、動作中のマッサージ装置本体２の作動停止指令用の指令信号が制御装置６に出力される。
【００１５】
自動指圧コース指定ボタン１５は首もみモードボタン１５ａ、首／肩両用モードボタン１５ｂ、肩もみモードボタン１５ｃを有する。首もみモードボタン１５ａを押すと、首もみモード用の指令信号が制御装置６に出力される。首／肩両用モードボタン１５ｂを押すと、首／肩両モード用の指令信号が制御装置６に出力される。肩もみモードボタン１５ｃを押すと、肩もみモード用の指令信号が制御装置６に出力される。
【００１６】
お好み動作ボタン１６は、指圧モードボタン１６ａ、三段指圧モードボタン１６ｂ、上方向移動ボタン１６ｃ、下方向移動ボタン１６ｄを有する。指圧モードボタン１６ａを押すと、標準設定の押圧力を指示する指令信号が制御装置６に出力される。三段指圧モードボタン１６ｂを押すと、肩もみ、首もみの押圧力を三段階に変更するための指令信号が制御装置６に出力される。上方向移動ボタン１６ｃを押すと、押圧突起を上へ移動させるための指令信号が制御装置６に出力される。下方向移動ボタン１６ｄを押すと、押圧突起を下へ移動させるための指令信号が制御装置６に出力される。
【００１７】
強さボタン１７を押すと、押圧突起の押圧力を変更するための指令信号が制御装置６に出力される。ここでは、この強さボタン１７は、１回押されるごとに弱、中、強と押圧突起の押圧力を変更する機能を有する。
【００１８】
制御装置６には優先回路１８が設けられている。この優先回路１８は、作動停止以外の動作態様の指令を行う複数の操作ボタン１５〜１７のうちのいずれか二つ以上の操作ボタンが相前後して同時に押された状態となったときには先に押された操作ボタンによる動作指令を優先しかつ作動停止以外の動作態様の指令を行う操作ボタンのうちの少なくとも一つの操作ボタンと作動停止指令用の操作ボタン１４とが相前後して同時に押された状態となったときには作動停止指令を行う操作ボタン１４による停止指令を優先する役割を果たす。
【００１９】
この発明によれば、マッサージ装置本体２の作動中にその作動を停止させたい場合に、例えば、そのリモートコントロール装置５を片手に持って、他方の手の指で停止ボタン１４を押そうとしたとき、リモートコントロール装置５を持っている方の手の指で動作指令用の操作ボタンを意図せずに押していることがあるが、特にあわててリモートコントロール装置５を操作する場合にこのような状態が起こりやすいが、このような状態で後から停止ボタン１４が押されたとしても、優先回路１８が停止指令を判断して優先的に実行するので、確実にマッサージ装置本体２の作動が停止される。
【００２０】
また、この発明の実施の形態によれば、優先回路１８は作動停止以外の動作態様の指令を行う複数の操作ボタンのうちのいずれか二つ以上の操作ボタンが相前後して同時に押された状態となったときには、従来通り、先に押された操作ボタンによる動作指令を優先的に実行するので、操作性能の低下も防止される。
【００２１】
なお、停止ボタン１４のみが押されたときには、従来通りそのマッサージ装置本体２の作動が停止される。
【００２２】
以上、発明の実施の形態では、制御装置６に優先回路１８を設けることにしたが、リモートコントロール装置５の側に優先回路１８を設けても良い。
【００２３】
また、この発明の実施の形態では、入／切ボタン１３と停止ボタン１４とを別々に設ける構成としたが、停止ボタン１４を設けずに入／切ボタン１３に停止ボタン１４の機能を兼用させても良い。
【００２４】
【発明の効果】
本発明によれば、複数の操作ボタンが相前後して同時に押されたときでも、その押された操作ボタンが作動停止指令用の操作ボタンである場合には、動作停止を優先して行うことができ、緊急時の安全性の向上を図ることができる。
【図面の簡単な説明】
【図１】本発明に係わるマッサージ装置の外観図である。
【図２】マッサージ装置本体から保護カバーを取り除いた外観図である。
【図３】マッサージ装置本体の構造を説明するためのブロック図である。
【符号の説明】
１  マッサージ装置本体
５  リモートコントロール装置
６  制御装置
１４〜１７  操作ボタン
１８  優先回路
【図１】
2004216036.tif 000003
【図２】
2004216036.tif 000004
【図３】
2004216036.tif 000005